(57)【特許請求の範囲】
【請求項１】
レーダを用いて移動可能な対象物を検知する検知装置であって、
前記レーダが検知物体から受信した受信電力値を取得する取得部と、
繰り返し同じ位置に検知される検知物体を表す背景物体から前記レーダが受信する背景電力値の強度の分布を、ライス分布に基づくと共に前記レーダが前記背景物体から受信した受信電力値の平均値で受信電力値の理論値を近似することによって求める背景算出部と、
前記受信電力値の強度の分布が前記背景電力値の強度の分布と異なる場合、前記レーダは前記対象物を検知したと判定する判定部
を備えることを特徴とする検知装置。
【請求項２】
レーダを用いて移動可能な対象物を検知する検知装置であって、
前記レーダが検知物体から受信した受信電力値を取得する取得部と、
繰り返し同じ位置に検知される検知物体を表す背景物体から前記レーダが受信する背景電力値の強度の分布を算出する背景算出部と、
前記受信電力値の強度の分布が前記背景電力値の強度の分布と異なる場合、前記レーダは前記対象物を検知したと判定する判定部と、
前記背景電力値に対応付けて、前記背景電力値の前記レーダでの受信確率を表す重み係数を算出する重み係数算出部を備え、
前記判定部は、前記受信電力値と同じ大きさの背景電力値に対応付けられた前記重み係数が小さいほど、前記レーダが前記対象物を検知したと判定する確率が高くなるように判定する
ことを特徴とする検知装置。
【請求項３】
前記背景物体の位置を特定する背景特定部と、
前記検知物体の位置と前記背景物体の位置を比較することにより、前記背景物体の近傍、および、前記背景物体と同じ位置に位置する検知物体を抽出する抽出部
をさらに含み、
前記判定部は、前記抽出部により抽出された検知物体からの受信電力値と同じ大きさの背景電力値に対応付けられた前記重み係数が所定の分布閾値よりも小さい場合、前記抽出部により抽出された検知物体は前記対象物であると判定する
ことを特徴とする請求項２に記載の検知装置。
【請求項４】
レーダを用いて移動可能な対象物を検知する検知装置であって、
前記レーダが検知物体から受信した受信電力値を取得する取得部と、
繰り返し同じ位置に検知される検知物体を表す背景物体から前記レーダが受信する背景電力値の強度の分布を算出する背景算出部と、
前記受信電力値の強度の分布が前記背景電力値の強度の分布と異なる場合、前記レーダは前記対象物を検知したと判定する判定部を備え、
前記背景算出部は、前記受信電力値に含まれるノイズに対する前記受信電力値の比率を算出し、前記レーダが受信する背景電力値の強度の分布を前記比率の大きさに対応付けて算出し、
前記判定部は、前記受信電力値の強度の分布が、前記比率と対応付けて算出された前記背景電力値の強度の分布と異なる場合、前記判定部は、前記レーダにより前記対象物が検知されたと判定する
ことを特徴とする検知装置。
【請求項５】
レーダを用いて移動可能な対象物を検知するコンピュータを、
前記レーダが検知物体から受信した受信電力値を取得する取得手段、
繰り返し同じ位置に検知される検知物体を表す背景物体から前記レーダが受信する背景  電力値の強度の分布を、ライス分布に基づくと共に前記レーダが前記背景物体から受信した受信電力値の平均値で受信電力値の理論値を近似することによって求める背景算出手段、
前記受信電力値の強度の分布が前記背景電力値の強度の分布と異なる場合、前記レーダは前記対象物を検知したと判定する判定手段
として機能させることを特徴とするプログラム。
【発明の詳細な説明】
【技術分野】
【０００１】
本発明は、レーダにより対象物を検知する技術に関わる。
【背景技術】
【０００２】
近年、道路上や道路の付近の歩行者や車両をレーダで検知し、検知結果をドライバなどに通知することにより交通事故の防止を図るシステムが考えられている。このようなシステムのレーダで車両や歩行者を検知する場合、レーダの検知範囲に存在する信号、電柱などの構造物もレーダに検知される。そこで、予め、歩行者や車両によるデータが含まれない背景データが生成されることがある。この方法では、レーダによる計測データで得られた検知結果から、背景データに含まれている物体を除いて得られた物体を検知結果とする。
【０００３】
このようなレーダシステムでは、Frequency-Modulated Continuous Wave（ＦＭ−ＣＷ）レーダが用いられることがある。ＦＭ−ＣＷレーダでは、三角波で変調された送信波を用い、受信波と送信波のビート周波数の周波数成分に基づいて、距離や速度を算出する。
【０００４】
また、目標射程距離での物体の有無の確率密度分布に基づいて、センサデータが目標射程距離に物体がある場合に対応するか、物体が無い場合に対応するかを決定する工程を含む車両用センサシステムも知られている。さらに、同一位置に定常的に存在している目標からの反射信号が検知されているときに、その目標からの受信信号signal-noise ratio（ＳＮ比）が目標の位置とともに表示される目標検知装置も知られている。
【先行技術文献】
【特許文献】
【０００５】
【特許文献１】特開平１０−２０６５２３号公報
【特許文献２】特開２００６−１９４８８７号公報
【発明の概要】
【発明が解決しようとする課題】
【０００６】
車両や歩行者の情報を交通事故の防止に役立てる場合、歩行者や車両を正確に検知することが求められる。そこで、例えば、検知装置を車両などに搭載すると死角が多く発生するので、道路脇などのインフラにレーダなどのセンサを設置し、死角にいる歩行者や車両を検知することが重要となっている。しかし、検知された物体についての位置の分離分解性能が悪いと、電柱などの背景となる物体の近傍に位置する歩行者や車両などが検知されない場合がある。例えば、歩行者によるデータがレーダシステムに取得されても、歩行者の位置と電柱の位置が区別できない場合、歩行者の位置は電柱などの背景データに含まれている物体と同じ位置となってしまう。このため、検知結果と背景データを比較したときに、歩行者に起因して得られたデータも背景データと誤認されてしまい、歩行者などが検知されないことになってしまう。
【０００７】
背景技術では、ＦＭ−ＣＷレーダの例について述べたが、方式としてパルスレーダなどの他の任意のレーダにおいても、背景データに含まれている物体の近傍に位置する対象物の検知精度を向上することが望ましい。
【０００８】
本発明は、定常的に存在している物体の近傍に位置する対象物の検知精度を向上することを目的とする。
【課題を解決するための手段】
【０００９】
実施形態にかかる検知装置は、レーダを用いて移動可能な対象物を検知する。検知装置は、取得部、背景算出部、および、判定部を備える。取得部は、前記レーダが検知物体から受信した受信電力値を取得する。背景算出部は、繰り返し同じ位置に検知される検知物体を表す背景物体から前記レーダが受信する背景電力値の強度の分布を、ライス分布に基づくと共に前記レーダが前記背景物体から受信した受信電力値の平均値で受信電力値の理論値を近似することによって求める。判定部は、前記受信電力値の強度の分布が前記背景電力値の強度の分布と異なる場合、前記レーダは前記対象物を検知したと判定する。
【発明の効果】
【００１０】
定常的に存在している物体の近傍に位置する対象物の検知精度を向上する。
【図面の簡単な説明】
【００１１】
【図１】実施形態に係る検知装置による対象物の検知例を示す図である。
【図２】受信電力の分布の例を示す図である。
【図３】実施形態に係る検知装置の構成の一例を示す図である。
【図４】検知データの例を示す図である。
【図５】メモリプレーンの例を示す図である。
【図６】ライス分布に従った受信電力の分布と重み係数の例を示す図である。
【図７】受信電力の分布と重み係数を記録したテーブルの例を示す図である。
【図８】背景情報の生成方法の一例を説明するフローチャートである。
【図９】レーダが探知した物体の位置と背景位置プレーンの例を示す図である。
【図１０】重み係数の記録方法の例を説明する図である。
【図１１】判定方法の一例を説明するフローチャートである。
【図１２】検知装置の動作の一例を説明するフローチャートである。
【図１３】背景物体の近傍の歩行者や車両が検知されるケースの例を示す図である。
【図１４】ＳＮ比の異なるライス分布の比較例を示す図である。
【図１５】背景テーブルの一例を示す図である。
【図１６】背景重みテーブルの例を示す図である。
【図１７】第２の実施形態にかかる背景情報の生成方法の一例を説明するフローチャートである。
【図１８】受信電力値のヒストグラムと背景重みテーブルの例を示す図である。
【図１９】第３の実施形態にかかる背景情報の生成方法の一例を説明するフローチャートである。
【発明を実施するための形態】
【００１２】
以下、本実施形態について、図面を参照しながら詳細に説明する。
図１は、実施形態に係る検知装置１０による対象物の検知例を示す図である。以下の説明では、一例として、スキャン式のＦＭ−ＣＷレーダが用いられた場合について説明するが、用いられるレーダはノンスキャン型のレーダとすることもできる。また、レーダの方式は、ＦＭ−ＣＷレーダに限られず、方式の違うパルスレーダを用いることもできる。なお、ＦＭ−ＣＷレーダのスキャンは、機械的に行われるスキャンであっても電子的に行われるスキャンであっても良い。検知装置１０は、ＦＭ−ＣＷレーダの覆域１（１ａ、１ｂ）に位置する物体の検知結果をＦＭ−ＣＷレーダから取得する。
【００１３】
以下の説明では、対象物は歩行者や車両などの移動物体であるものとする。また、レーダの覆域１に位置する物体のうち、移動せず同一の位置に長い時間繰り返し検知される物体を「背景物体」と記載することがある。背景物体は、例えば、信号機などの道路構造物、電柱、歩道にある車進入防止用柱、街路樹などである。
【００１４】
ケースＡでは、覆域１ａに位置する歩行者３０は、検知装置１０に検知される。ここで、３ａ、３ｂに示す黒丸は、歩行者３０の検知結果を示すものとする。検知装置１０が歩行者３０から受信した電力強度の分布の一例を図２のＡに示す。歩行者３０は、移動しているため、検知装置１０は、図２のＡに示すようにレーリー分布状に分布した受信電力を受信する。なお、歩行者３０が信号待ちなどをして立ち止まっている場合であっても、歩行者３０の体が動くことが考えられる。ミリ波レーダなどを用いている場合、歩行者３０の体がレーダの波長よりも大きい距離にわたって動くと、様々な位相の反射波が検知装置１０で受信される。このため、歩行者３０が立ち止まっている場合でも、検知装置１０が歩行者から受信する電力値はレーリー分布状に分布する。
【００１５】
一方、ケースＢでは、覆域１ａに位置する背景物体４０ａと覆域１ｂに位置する背景物体４０ｂが検知装置１０に検知される。４ａ〜４ｄに示す白丸は、背景物体４０の検知結果を示すものとする。検知装置１０が背景物体４０ａから受信した電力強度の分布の例を図２Ｂに示す。背景物体４０は静止している物体であるため、背景物体で反射された反射波の位相は大きく変動しない。そこで、検知装置１０は、背景物体４０ａから、仲上−ライス分布（ライス分布）状に分布した受信電力を受信する。
【００１６】
ケースＣでは、予め、背景物体４０ａと４０ｂが検知装置１０に繰り返し検知されているものとする。検知装置１０は、背景物体４０ａと４０ｂを背景の一部として検知位置を登録しているものとする。さらに、検知装置１０は、背景物体４０ａと４０ｂから受信する受信電力強度の分布が図２のＢに示す分布であることも合わせて記録する。以下の説明では、背景物体の位置、および、背景物体から受信する受信電力の分布を合わせた情報を「背景情報」と記載することがある。
【００１７】
背景情報の記録が終わった後に歩行者３０が背景物体４０ａの近くに来た場合、検知装置１０は、レーダの受信データを背景情報と比較する。すなわち、レーダで検知された検知物体の位置と背景物体４０の位置を比較し、さらに、レーダの受信電力の強度の分布を背景情報に記録されている電力の強度の分布と比較する。ここでは、歩行者３０に対応して３ａの位置に物体が検知され、歩行者３０と背景物体４０ａの両方に対応して５の位置に物体が検知されたものとする。検知装置１０は、検知物体の位置を背景物体４０の位置と比較すると、背景物体４０ａに対応する４ａの近くに、３ａが検知されていることを認識する。さらに、背景物体４０の位置が登録されている５と４ｂ〜４ｄにも物体が検知されている。
【００１８】
そこで、検知装置１０は、受信電力の分布を確認する。例えば、５の位置で得られた受信電力の分布は、例えば、図２Ａと図２Ｂのグラフを合わせた形になったものとする。なお、グラフを合わせるために横軸は、ノイズの影響により真の受信電力値からずれた受信電力値から受信電力の真の電力値を引いたものとする。このとき、単位はｄＢであり、ノイズの影響により真の受信電力値からずれた受信電力値と受信電力の真の電力値の比である。また、３ａでの受信電力の分布は、図２Ａのグラフに近い形であるとする。この場合、検知装置１０が位置５や３ａに示す検知対象から受信した電力の分布は、検知装置１０が記憶している図２のＢのグラフの形状とは一致しない。そこで、検知装置１０は、歩行者３０などの対象物を、３ａと５の位置に検知したと判定する。一方、４ｂ〜４ｄに検知された物体からの受信電力の分布は、図２Ｂに示す受信電力の分布と同様の形状であったとする。すると、検知装置１０は、４ｂ〜４ｄに背景物体を検知したと判定する。
【００１９】
このように、検知物体の位置の情報に加えて、検知物体から受信した電力強度の分布の情報を用いて判定することにより、背景物体４０の近傍に位置する歩行者３０や車両を検知することができる。
【００２０】
図３は、実施形態に係る検知装置１０の構成の一例を示す図である。検知装置１０は、アンテナ部１１、ミリ波送受信部１２、アナログ部１３、電源１４、インタフェース部１５、および、デジタル信号処理部２０を備える。デジタル信号処理部２０は、取得部２１、背景算出部２２、背景特定部２３、抽出部２４、判定部２５、制御部２７、認識処理部２８を備える。また、オプションとして重み係数算出部２６を備えることもできる。
【００２１】
ミリ波送受信部１２は、アンテナ部１１を介して送信波を出力する。また、ミリ波送受信部１２は、アンテナ部１１を介して検知物体で反射された反射波を受信する。アナログ部１３は、ミリ波送受信部１２からのアナログ信号をビート信号のみに変換する処理を行う。さらにアナログ部１３は、アナログ-デジタル変換回路（Ａ／Ｄコンバータ）によりアナログ信号をデジタル信号に変換してデジタル信号処理部２０に出力する。電源１４は、アンテナ部１１、ミリ波送受信部１２など検知装置１０に含まれる各デバイスに電力を供給する。インタフェース部１５は、デジタル信号処理部２０から出力されたデータを、適宜、変換して外部装置に出力する。
【００２２】
取得部２１は、送信波と検知物体からの受信波のビート周波数の周波数成分に基づいて、距離と速度を算出する。また、取得部２１は、受信電力も算出する。図４は、取得部２１によって得られた検知データの例を示す図である。図４の例では、検知データは、ヘッダ部とデータ部を備えている。ヘッダ部にはデータ数、日時、温度などが格納され、データ部には、検知された物体について、レーダからの走査角度（アジマス角度）、距離、速度、電力が記録されている。取得部２１は、距離や速度などの算出結果を、背景算出部２２や抽出部２４に出力する。なお、取得部２１は、タイマ（図示せず）を用いて、タイマがタイムアップしたときに距離や速度などの算出結果を背景算出部２２と抽出部２４に出力し、タイムアップしていないときは、抽出部２４に算出結果を出力することもできる。
【００２３】
背景算出部２２は、取得部２１から受け取ったデータに基づいて、検知装置１０が背景物体４０から受信する電力強度の分布を算出する。背景特定部２３は、背景算出部２２で算出された背景データを用いて、背景物体の位置を特定する。このように、取得部２１から背景算出部２２に検知データが出力されると、背景情報が更新される。背景情報の更新方法については後で詳しく説明する。
【００２４】
抽出部２４は、取得部２１から得られた検知結果と背景特定部２３により特定された背景物体の位置を比較し、背景物体の近傍や背景物体と同じ位置に検知された物体を抽出する。判定部２５は、抽出部２４で抽出された検知物体について、受信電力の分布を背景物体からの受信電力の分布と比較することにより、対象物が検知されたかを判定する。重み係数算出部２６は、判定部２５の判定で用いられる重み係数を計算する。認識処理部２８は、判定部２５の判定結果に応じて、検知物体のデータを処理し、処理結果をインタフェース部１５に出力する。また、認識処理部２８は、背景物体の近傍や背景物体の存在する位置に検知されなかったために抽出部２４によって抽出されなかった検知データについても、同様にデータを処理し、処理結果を出力する。背景算出部２２、背景特定部２３、抽出部２４、判定部２５、重み係数算出部２６の動作については、後で詳しく述べる。制御部２７は、アンテナ部１１、ミリ波送受信部１２、アナログ部１３、電源１４、インタフェース部１５などの動作を制御する。
【００２５】
＜第１の実施形態＞
以下、図４に示したような検知データを処理する場合のデジタル信号処理部２０の動作について説明する。また、以下の例では、デジタル信号処理部２０に重み係数算出部２６が含まれているものとする。
【００２６】
まず、背景情報の更新方法について説明する。以下の例では、背景算出部２２は、図５（ａ）、図５（ｂ）に示すような、レーダからの距離とアジマス角度の各々に対応してデータを格納するメモリプレーンを備えるものとする。各々のメモリプレーンでは、予め決められた一定の距離とアジマス角度に対応付けてメモリ領域が割り当てられ、各々のメモリ領域には、割り当てられた距離およびアジマス角度で検知された物体に関するデータが記憶されるものとする。例えば、メモリプレーンは、距離方向が０．２メートル以内でアジマス角度が０．２度以内のデータを記録するメモリ領域に分割されることがある。修正プレーンに示したメモリ領域５１では、例えば、距離が１４．９〜１５．１メートルでアジマス角度が１１．９〜１２．１度のデータを記録するとする。この場合、図４のＮｏ．６の検知物に関するデータは、メモリ領域５１に記録される。また、図５（ｂ）、図５（ｃ）に示す背景データプレーンや背景位置プレーン中のメモリ領域へのデータの記録方法も同様である。
【００２７】
背景算出部２２は、修正プレーン中の距離やアジマス角度の計測誤差の範囲内に同じ検知データを記録することにより、検知した対象物の距離やアジマス角度の計測誤差を修正する。以下の説明では、この処理を「修正処理」と記載することがある。誤差範囲は、予めオペレータが設定することができる。例えば、誤差範囲は、隣り合った２つのメモリ領域とすることができる。また、予め、温度などの条件と誤差範囲を対応付けたテーブルを作成し、検知データのヘッダ部に含まれている気温などのデータを用いて、制御部２７がテーブルから誤差範囲を特定することもできる。
【００２８】
次に、背景算出部２２は、修正プレーンと背景データプレーンのデータを用いて、受信電力の平均化を行う。図５（ｂ）は、受信電力の平均化で用いられる背景データプレーンの一例である。背景算出部２２は、メモリ領域ごとに、例えば、以下の式に基づいた演算を行う。
Ｍ（ｔ）＝α×Ｍ（ｔ−１）＋β×Ｃ（ｔ）  ・・・（１）
α＋β＝１  ・・・（２）
ここで、Ｍ（ｔ）は、計算対象としているメモリ領域に対応する位置から、検知装置１０がｔ回の計測で受信した受信電力値の平均値である。また、Ｍ（ｔ−１）は、計算対象としているメモリ領域に対応する位置から、検知装置１０が１回目からｔ−１回目の計測で受信した受信電力値の平均値を表す。Ｍ（ｔ）を算出するとき、背景算出部２２は、計算対象のメモリ領域について、背景データプレーンに記録されている値をＭ（ｔ−１）として用いる。Ｃ（ｔ）は、修正プレーンに記録されている受信電力である。すなわち、ｔ回目の測定で得られた受信電力に修正を加えた値である。さらに、αとβはいずれも正の係数であるものとする。背景算出部２２は、算出したＭ（ｔ）を背景データプレーン中のメモリ領域に記録する。
【００２９】
前述の式を用いて求められたＭ（ｔ）は、計測回数ｔが大きくなると、背景平均値が対応付けられた位置から検知装置１０が受信した受信電力の平均値に収束する。例えば、修正プレーンのメモリ領域５１では、１００回目の測定のときにノイズよりも大きな受信電力が観測されたが、その後１０００回目の測定までノイズよりも大きな受信電力が観測されなかったとする。この場合、メモリ領域５１に対応する背景データプレーンのメモリ領域５２で記録される受信電力の値は、ノイズレベルに収束する。一方、修正プレーンのメモリ領域５３では、毎回、物体が探知されたとする。この場合、メモリ領域５３に対応する背景データプレーンの領域５４に含まれているメモリ領域に記録された受信電力値はノイズよりも大きな値となる。なお、以下の記載では、背景データプレーンのメモリ領域の各々に記録されている受信電力の平均値を「背景平均値」と記載することがある。
【００３０】
背景特定部２３は、背景算出部２２で算出された背景平均値を用いて、背景物体の位置を特定する。背景特定部２３は、メモリ領域ごとに、背景平均値からノイズの大きさを差し引いて得られた差分を背景閾値と比較する。背景平均値がノイズレベルよりも大きく、さらに、得られた差分が背景閾値以上の場合、そのメモリ領域に対応した距離およびアジマス角度には、背景物体が位置すると判定する。ここで、背景閾値は、背景平均値とノイズレベルとの差分が有意差となるような任意の値とすることができる。例えば、背景閾値を１０ｄＢとすることもできるが、背景閾値の値は実装に応じて任意に変更することができる。以下の説明では、背景物体が位置すると決定された領域を「背景領域」と記載することがある。背景特定部２３は、特定した背景物体の位置を、例えば、図５（ｃ）に示す背景位置プレーンにフラグを立てるなどの方法により、レーダからの距離および走査角度（アジマス角度）に対応付けて記録する。例えば、背景特定部２３は、図５（ｃ）のメモリ領域５５などのように網掛で示した領域に対応する位置を背景領域と判断し、フラグを設定する。
【００３１】
次に、背景算出部２２は、背景領域から検知装置１０が受信する受信電力の分布を推定する。すなわち、背景算出部２２は、検知装置１０の受信電力値が受信電力の理論値となる可能性や、理論値の周辺の値となる可能性を、背景物体が検知されたメモリ領域ごとに計算する。ここで、受信電力の理論値は、ノイズの影響が無いときに検知装置１０が受信する信号の振幅の大きさである。背景算出部２２は、受信電力値の理論値を背景平均値で近似し、式（３）に示すライス分布の計算式に基づいて、受信電力の分布を求めるものとする。
0005625445.tif 000002
ここで、Ａはノイズの影響が無いときに検知装置１０が受信する信号の振幅の大きさである。また、Ｒは、信号の大きさがノイズの影響によりずれた場合の振幅の大きさであり、σ２はノイズの分散である。
【００３２】
背景物体は、前述のとおり、道路構造物や電柱など、レーダの覆域１に入っている移動物体以外の物体である。すなわち背景物体は移動しないため、背景物体からの受信電力の分布はライス分布に従う。そこで、背景算出部２２は、式（３）に示すように、背景物体からの受信電力の分布を、ライス分布に基づいて推定することができる。
【００３３】
図６（ａ）に、例として、図５（ｃ）の背景位置プレーンのメモリ領域５６に示した位置について算出された受信電力の分布を示す。図６（ａ）の横軸は、検知装置１０に受信される受信電力の大きさと受信電力の理論値の差分（相対的受信電力）を表す値である。ただし、図６（ａ）に示す相対的受信電力の単位がｄＢであるため、相対的受信電力は受信電力の大きさと受信電力の理論値の比となる。相対的受信電力ＲＰは、信号の振幅を用いて、式（４）のように表される。
0005625445.tif 000003
従って、式（４）より、Ａ＝Ｒの場合、相対的受信電力が０となる。すなわち、受信電力の大きさが理論値と同じ大きさである場合、図６（ａ）のｘ軸が０になる。また、受信電力の大きさが理論値より大きくなると、相対的受信電力は１０ｄＢなどの正の値を取り、受信電力の大きさが理論値より小さくなると、相対的受信電力は負の値となる。
【００３４】
受信電力の分布の推定が終わると、背景算出部２２は、受信電力の分布の計算結果に基づいて、図７（ａ）に示す背景分布推定テーブルを生成する。背景分布推定テーブルは、受信電力の実測値の分布をライス分布と比較するために用いられる。ここで、前述のとおり、受信電力値の理論値を背景平均値で近似できるので、背景算出部２２は、受信電力の実測値の分布をライス分布と比較するとき、相対的受信電力値を、受信電力値から背景平均値を差し引いた値に近似する。背景算出部２２は、図７（ａ）に示すように、分布の推定値を、背景平均値と受信電力値の差に対応付けて記録する。例えば、メモリ領域５６に対応する位置に検知される物体についての分布の推定値は、図６（ａ）のＹ軸の値であり、背景平均値と受信電力値の差はＸ軸の値となる。
【００３５】
検知装置１０がメモリ領域５６に対応付けられた位置の背景物体から受信する電力の分布は、図６（ａ）のとおりになる。つまり、検知装置１０の受信電力の分布が図６（ａ）と異なる分布である場合、検知装置１０は、歩行者や車両などの移動物体からも電力を受信していることになる。なお、図６（ａ）の例では、ＳＮ比が１０ｄＢの場合について計算しているが、ＳＮ比は信号の強さとノイズの強さの差が有意差となる任意の値とすることができる。ＳＮ比の求め方や受信電力の分布に及ぼす影響等については後述する。
【００３６】
検知装置１０は、ライス分布と受信電力値の分布を比較するために、重み係数を使用することができる。重み係数が用いられる場合、検知装置１０は、重み係数算出部２６を供える。重み係数算出部２６は、分布の最大値が所定の値になるように、分布推定値を一定の定数で乗算もしくは除算する。例えば、重み係数算出部２６は、理論値での分布推定の値が１になるように、分布推定値を、相対受信電力が０ｄＢでの分布推定の値で割ることができる。図６の例では、相対受信電力が０ｄＢでの分布推定値が１．８であるので、重み係数算出部２６は、分布推定値を１．８で割り、図６（ｂ）に示す重み係数を算出する。なお、重み係数算出部２６は、背景平均値での分布推定の値を、実装に応じて、処理が円滑に行われると考えられる任意の数に設定することができる。図７（ｂ）は、重み係数を記録したテーブルの例を示す図である。重み係数算出部２６は、重み係数を相対受信電力と対応付けて記録する。重み係数算出部２６も、背景算出部２２と同様に、相対受信電力を受信電力値から背景平均値を差し引いた値に近似するものとする。
【００３７】
背景平均値の重みが１となるように計算された重み係数は、検知装置１０が背景物体から受信する電力値が背景平均値から離れた値になる可能性は、検知装置１０が背景物体から背景平均値の電力を受信する可能性の何倍であるかを示す。図６（ｂ)および図７（ｂ）の例では、検知装置１０が受信する電力値が背景平均値より５ｄＢだけ小さい可能性は、検知装置１０が背景平均値の電力を背景物体から受信する可能性の０．１１倍であることを示している。また、図６（ｂ)などでは、例えば、背景物体から受信する電力が背景平均値より１０ｄＢ大きい可能性は０に近くなっている。
【００３８】
図８は、背景情報の更新方法の一例を説明するフローチャートである。取得部２１は、タイマがタイムアップすると、距離や速度などの算出結果を、背景算出部２２と抽出部２４に出力する（ステップＳ１）。背景算出部２２は、算出結果が入力されると修正処理を行い、さらに、受信電力を平均化する（ステップＳ２、Ｓ３）。背景特定部２３は、背景算出部２２により算出された受信電力の平均値を背景閾値と比較して、背景物体の位置を特定する（ステップＳ４）。背景算出部２２は、特定された背景物体の受信電力とノイズの電力差に基づいて、背景物体からの受信電力の強度の分布を推定する（ステップＳ５）。さらに、重み係数算出部２６は、受信電力値の分布の推定結果に基づいて、重み係数を算出する（ステップＳ６）。一方、タイマがタイムアップしていないとき、取得部２１は、距離や速度などを算出すると算出結果を抽出部２４に出力するが、この場合には、背景情報の更新は行われない（ステップＳ１でＮｏ）。
【００３９】
次に、背景情報を用いた判定方法について説明する。抽出部２４は、レーダによる検知結果と背景位置プレーンの記録を比較し、背景物体の近傍や背景物体と同じ位置に検知された物体を抽出する。さらに、抽出した物体について速度が速度閾値よりも大きいかを確認する。ここで、速度閾値は、例えば、静止している物体に対してノイズなどの影響により算出されうる速度の大きさとすることができる。これらの処理により、抽出部２４は、検知位置の情報からは、背景物体が存在する位置もしくはその近傍に位置する物体のうち、静止している物体を抽出する。
【００４０】
図９は、レーダが探知した物体の位置と背景位置プレーンの例を示す図である。レーダが探知した物体の位置は、図９（ａ）の太線で囲んだ四角のとおりであるものとする。一方、背景位置プレーンでは、図９（ｂ）の太線で囲んだ四角のとおりであるものとする。図９（ａ）で検知された物体のうち、メモリ領域６２、６３に対応する位置に検知された物体は、背景領域と同じ位置に位置している。また、メモリ領域６１に対応する位置に検知された物体は背景領域の近傍で検知されている。従ってメモリ領域６１、６２、６３に対応する位置に検知された物体は、背景物体を検知している可能性があるが、背景物体以外の物体を検知している可能性や、背景物体と背景物体以外の物体の両方を検知している可能性もある。ここで、６１〜６３の位置に検知された物体の速度は、速度閾値よりも小さかったものとする。すると、抽出部２４は、６１〜６３の位置に検知された物体を判定の対象とする。
【００４１】
判定部２５は、６１〜６３の位置に検知された物体の各々から受信した受信電力と、背景平均値の差を算出する。ここで、Ｔ回目の測定で６１の位置に検知された物体のデータは図４のＮｏ．１、６２の位置に検知された物体のデータは図４のＮｏ．２、６３の位置に検知された物体のデータは図４のＮｏ．５であるとする。例えば、ここで、速度閾値は１．０ｋｍ／ｈであるものとすると、６１〜６３の位置に検知された物体の速度はいずれも速度閾値より小さいので、判定部２５は、背景平均値と受信電力の差を求める。背景平均値が−３０ｄＢｍであるとすると、相対的受信電力は次のようになる。
６１の物体：−４０ｄＢｍ−（−３０ｄＢｍ）＝−１０ｄＢｍ
６２の物体：−３８．５ｄＢｍ−（−３０ｄＢｍ）＝−８．５ｄＢｍ
６３の物体：−３０ｄＢｍ−（−３０ｄＢｍ）＝０ｄＢｍ
【００４２】
判定部２５は、図７（ｂ）を参照して、相対的受信電力に対応する重み係数を求める。例えば重み係数は以下のとおりであるとする。
−１０ｄＢｍの重み係数  ：  ０．０
−８．５ｄＢｍの重み係数：  ０．０
０ｄＢｍの重み係数      ：  １．０
【００４３】
判定部２５は、得られた重み係数を記憶する。例えば、判定部２５は、図１０（ａ）に示すようなリングバッファを複数備え、判定処理の対象が検知されたメモリ領域ごとの重み係数を書き込むことができる。図１０（ｂ）は６１の位置で検知された物体、図１０（ｃ）は６２の位置で検知された物体、図１０（ｄ）は６３の位置で検知された物体についての重み係数を記録したリングバッファの例である。図１０（ａ）〜図１０（ｄ）に示すリングバッファにはｎビットが含まれており、２ビット目にＴ回目の測定結果から得られた重み係数が記録されるものとする。また、３ビット目はＴ−１回目の測定結果、４ビット目はＴ−２回目の測定結果が記録されているとする。
【００４４】
判定部２５は、例えば、Ｔ回目、Ｔ−１回目およびＴ−２回目の測定結果から得られた重み係数を用いて、受信電力の分布を示す分布係数Ｄを算出することができる。分布係数Ｄは、それぞれの測定結果で得られた重み係数と、重み係数の各々についての優先度から次式を用いて求められる。判定部２５は予め優先度を記憶しているものとする。
0005625445.tif 000004
ここで、Ｐｋは、Ｔ回目を基準にしてｋ番前（Ｔ−ｋ番目）の測定結果から得られた重み係数に対する優先度であり、Ｗ（Ｔ−ｋ）は、Ｔ−ｋ番目の測定結果から得られた重み係数である。また、Ｘは分布係数の算出に用いる重み係数の総数である。優先度の決定方法は任意である。例えば、最新の測定結果に基づいて求めた重み係数が分布係数に及ぼす影響を、前の測定結果に基づいて求めた重み係数よりも大きくするために、後の測定結果に対する優先度ほど大きくなるように優先度を決定してもよい。分布係数Ｄが大きな値をとるほど、受信電力値の分布と、背景物体から検知装置１０が受信した受信電力の分布が類似していることを示す。
【００４５】
判定部２５は、予め、分布閾値を記憶している。分布閾値は、受信電力値の分布と背景物体から検知装置１０が受信した受信電力値の分布とが類似していると判定する分布係数の下限値を表す。分布係数が分布閾値より大きい場合、判定部は、背景物体を検知したと判定し、分布係数が分布閾値以下の場合、歩行者など、背景物体と異なるものを検知したと判定する。
【００４６】
例えば、６１の位置に検知された物体について、Ｔ回目、Ｔ−１回目およびＴ−２回目の３回の測定結果を用いた判定が行われる場合について説明する。ここで、優先度は、Ｐ０＝３、Ｐ１＝２、Ｐ２＝１であるものとする。すると、６１の位置に検知された物体についての分布係数は、３×０＋２×０＋１×０．０２＝０．０２となる。ここで、分布閾値が３である場合、６１の位置に検知された物体についての分布係数は分布閾値より小さいため、判定部２５は、６１は背景物体ではない物体が検知されていると判定する。同様に、６２の位置に検知された物体についての分布係数を求めると、３×０＋２×０．５８＋１×０．４０＝１．５６となる。６２の位置に検知された物体についての分布係数も分布閾値よりも小さいため、判定部２５は、６２の位置でも背景物体ではない物体が検知されていると判定する。一方、６３の位置に検知された物体の重み係数は図１０（ｄ）に示すとおりであるので、分布係数は、３×１＋２×０．９５＋１×０．９６＝５．８６となり、６３の位置に検知された物体の分布係数は分布閾値より大きい。そこで、判定部２５は、６３の位置には、背景物体以外の物体を検知していないと判定する。
【００４７】
前述のとおり、背景物体から検知装置１０が受信した電力の大きさは、図６（ａ）に示すように分布する。従って、受信電力値の分布が図６（ａ）に示す形状とは異なっている場合、検知装置１０が検知した物体には背景物体以外の物体が含まれている。判定部２５は、分布係数として、受信電力値の分布が背景物体から検知装置１０が受信する電力の分布と類似している程度を算出すると共に、分布係数の大きさに応じて、背景物体以外の物体が検知されているかを判定する。このように、物体が検知された位置の比較に加えて、物体から検知装置１０が受信した受信電力値の分布を背景情報と比較することにより、背景物体の近傍に位置する歩行者などの移動物体を検知することができる。
【００４８】
なお、背景物体の近傍の範囲は、レーダの位置の分解能や検知装置１０の性能などに合わせて設定することができる。例えば、図９を参照しながら説明したように、抽出部２４は、背景位置プレーンを用いて、背景物体が検知されているメモリ領域に隣接するメモリ領域に対応する領域を、背景物体の近傍とすることができる。また、背景物体が検知されているメモリ領域から所定の数のメモリ領域に対応する領域が、背景物体の近傍と判定されることもある。例えば、所定の数が２つであるとき、図９（ａ）の６１のメモリ領域に対応する位置は、６３のメモリ領域に検知された背景物体の近傍に含まれる。さらに、予め、オペレータなどが、近傍の領域をレーダからの距離やアジマス角度などを用いて決定して、抽出部２４などに記憶させることもできる。例えば、背景物体を基準にして、レーダからの距離の差が０．５ｍ、アジマス角度の差が０．１度の範囲を近傍とすることができる。この場合、抽出部２４は、背景位置プレーンに記録されている背景物体の位置を、検知データに含まれている距離やアジマス角度のデータと比較する。抽出部２４は、背景物体からの距離が０．５ｍ以下で、アジマス角度の差が０．１度以下の範囲を背景物体の近傍として、データを抽出する。
【００４９】
図１１は、判定方法の一例を説明するフローチャートである。抽出部２４は、取得部２１から距離や速度などの検知データが入力されると、背景物体の位置か背景物体の近傍に検知された物体のうち、速度が速度閾値よりも小さい物体を抽出する（ステップＳ１１）。判定部２５は、抽出された物体から検知装置１０が受信した受信電力と背景平均値の差分に基づいて、重み係数を求め、リングバッファに記録する（ステップＳ１２〜Ｓ１４）。判定部２５は、重み係数と優先度を用いて分布係数を求め、分布閾値と比較する（ステップＳ１５、Ｓ１６）。分布係数が分布閾値以下の場合、判定部２５は、背景物体ではない物体が検知されていると判定する。判定部２５は、背景物体ではない物体が検知されていると判定した場合、判定結果を認識処理部２８に出力する。一方、分布係数が分布閾値より大きい場合、判定部２５は、背景物体以外の物体が検知されていないと判定する。このように、検知された物体は背景物体であると判定した場合、判定部２５は判定結果を出力せずに処理を終了する。また、ステップＳ１１で抽出されなかった検知物体は、背景物体とは異なる物体であるため、背景物体との比較は行われずに、認識処理部２８にデータが出力される（ステップＳ１１でＮｏ）。なお、図１１は判定方法の一例であり、例えば、ステップＳ１６において分布係数が分布閾値より小さい場合に、判定部２５が背景物体ではない物体を検知したと判定するように変形することもできる。
【００５０】
図１２は、検知装置１０の動作の一例を説明するフローチャートである。ここで、ステップＳ２１〜Ｓ２４の処理は、例えば、背景データプレーンの１つのメモリ領域ごとに処理が行われるものとする。取得部２１は、アンテナ部１１、ミリ波送受信部１２、アナログ部１３を介して入力された信号からデータを取得する（ステップＳ２１）。背景情報が更新される時刻である場合、背景算出部２２および背景特定部２３は、取得部２１で取得されたデータに基づいて背景情報を更新する（ステップＳ２２、Ｓ２３）。背景情報の更新が終わると、抽出部２４、判定部２５、重み係数算出部２６により、前述のとおり、背景物体ではない物体が検知されたかの判定が行われる（ステップＳ２４）。また、ステップＳ２２で背景情報が更新される時刻でないと判定された場合も、背景物体ではない物体が検知されているかの判定が行われる（ステップＳ２２、Ｓ２４）。判定部２５は、背景物体ではない物体が検知されたと判定すると、判定結果を認識処理部２８に出力する。
【００５１】
認識処理部２８は、判定部２５から判定結果が出力されたメモリ領域同士で、検知された物体の距離、アジマス角度、速度を比較し、これらのデータがほぼ一致したメモリ領域をグループ化する（ステップＳ２５）。また、認識処理部２８は、各グループについて、その後の処理に用いるための識別子などを、適宜、付すことができる。さらに、認識処理部２８は、ステップＳ２５で生成したグループの各々について、位置、アジマス角度、速度を計算する（ステップＳ２６）。ここで、例えば、グループ化されたメモリ領域の各々の位置などの平均値がグループの位置等に設定される。認識処理部２８は、グループの各々について、先の検知結果と比較することにより追跡調査を行い、検知された物体を認識する（ステップＳ２７、Ｓ２８）。ここで検知される物体は、例えば、歩行者、立ち止まっている人、移動する車両などである。認識処理部２８は、認識したグループの位置等のデータをインタフェース部１５に出力する。インタフェース部１５は、認識処理部２８から受け取ったデータを、適宜変換して、外部の装置に出力する（ステップＳ２９）。
【００５２】
背景物体の近傍や背景物体と同じ位置に検知された物体について、前述の処理を行うことにより、検知装置１０は、図１３（ａ）のように、歩行者３０が背景物体４０ａの近傍に位置するケースでも、歩行者３０を検知することができる。また、道路を走行している車両３１から検知装置１０が取得する電力値の分布も、背景物体から検知装置１０が受信する電力の分布とは異なる。そのため、図１３（ｂ）に示すように、車両３１が背景物体４０ｃの近傍を走行しているケースでも、検知装置１０は、車両３１を検知することができる。
【００５３】
なお、以上の説明では、３個の重み係数を用いて検知物体が背景物体であるかを判定したが、判定に用いる重み係数の数は、任意の数とすることができる。例えば、判定部２５は、１つの重み係数を求めるごとに、所定の閾値と比較し、比較結果に基づいて判定をすることもできる。
【００５４】
＜第２の実施形態＞
第２の実施形態では、判定部２５が、処理対象のメモリ領域ごとに異なる重み係数を用いる場合について説明する。ライス分布は、式（３）に示したようにノイズの影響を受ける。従って、ＳＮ比が異なると、ライス分布の形状も異なる。図１４は、ＳＮ比の異なるライス分布の比較例を示す図である。図１４のＡは、ＳＮ比が１０ｄＢの場合、ＢはＳＮ比が２０ｄＢの場合のライス分布の形状を示す。図１４に示すように、ＳＮ比が大きいほど、ライス分布の分布幅は狭くなる。そこで、第２の実施形態では、背景算出部２２は、背景位置プレーンのメモリ領域ごとに、そのメモリ領域に対応する位置に検知された物体からの受信電力とノイズの比（ＳＮ比）を求め、ＳＮ比に応じて受信電力の分布を求める。なお、この場合、背景算出部２２は、背景領域から受信した信号の大きさを取得部２１から通知されるものとする。
【００５５】
背景算出部２２は、背景領域からの受信した信号の大きさとノイズの大きさに応じて、ＳＮ比を以下の式から計算する。
0005625445.tif 000005
【００５６】
図１５（ａ）は、背景テーブルの一例を示す図である。背景テーブルは、背景物体からの受信電力とＳＮ比を背景物体の位置と対応付けたテーブルである。背景算出部２２は、背景算出部２２での算出結果と、背景特定部２３での特定結果に基づいて、背景テーブルを作成する。ここで、背景座標は、背景位置プレーンのメモリ領域をアジマス角度とレーダからの距離に図１５（ｂ）に示すように対応付けて表した座標である。Ｎ番目のデータは、アジマス角度がｉ、レーダからの距離がｊの位置を含むメモリ領域に対応する位置に観測された物体からの受信電力等のデータである。なお、図１５（ａ）は、背景テーブルの例であり、背景テーブルに含まれる情報要素は変更することができる。
【００５７】
次に、背景算出部２２は、ＳＮ比に応じたライス分布を算出する。Ｎ番目のデータでは、ＳＮ比が１０ｄＢであるので、背景算出部２２は、図１４のＡに示すような分布を算出する。一方、背景算出部２２は、Ｎ＋１番目のデータについて、ＳＮ比が２０ｄＢなので、図１４のＢに示すような分布を求める。背景算出部２２は、図１６（ａ）に示すように、各メモリ領域でのＳＮ比に対応したライス分布を用いて、背景平均値と受信電力の差分と分布推定値を対応付けたテーブルを生成する。また、背景算出部２２は、求めたライス分布の各々について、背景平均値での分布推定値を１とした場合の重み係数を求める。得られた重み係数は、図１６（ｂ）に示すような背景重みテーブルに記録される。なお、重み係数の求め方は、第１の実施形態で述べたとおり、実装に応じて変更することができる。図１６（ｂ）は、背景平均値での分布推定値を１とする重み係数の例を示す。
【００５８】
図１７は、第２の実施形態にかかる背景情報の生成方法の一例を説明するフローチャートである。ステップＳ４１〜Ｓ４４の処理は、図８を参照しながら説明したステップＳ１〜Ｓ４と同様である。その後、背景算出部２２は、メモリ領域に対応する位置に検知された物体からの受信電力とノイズの比（ＳＮ比）を求め、背景テーブルを作成する（ステップＳ４５）。さらに、背景算出部２２は、ＳＮ比に応じたライス分布の形状を推定して重み係数を求める（ステップＳ４６、Ｓ４７）。
【００５９】
得られた重み係数を用いた判定の方法は、第１の実施形態と同様である。図１４に示したように、ＳＮ比が大きいほどライス分布の分布幅は狭くなる。従って、ＳＮ比に応じた重み係数を求めることにより、ＳＮ比が大きいメモリ領域では、分布幅の狭いライス分布に基づいて判定処理が行われる。すなわち、ＳＮ比が大きいメモリ領域ほど、背景平均値から離れた値の受信電力は、検知装置１０が背景物体以外の物体から受信した電力である可能性が高い。第２の実施形態にかかる検知装置１０では、メモリ領域ごとにＳＮ比を求め、ＳＮ比に応じたライス分布に基づいて求めた重み係数を用いて判定するため、第１の実施形態に比べて判定の精度を向上することができる。
【００６０】
＜第３の実施形態＞
第３の実施形態では、背景算出部２２は、受信電力の実測値を用いて背景物体からの受信電力の分布を推定する。第３の実施形態では、背景算出部２２は、さらに、背景物体が検知されている位置から得られた受信電力値のヒストグラムを求める。
【００６１】
図１８（ａ）は、受信電力値のヒストグラムと背景重みテーブルの例を示す図である。図１８（ａ）は、受信電力値ごとの受信回数を、背景物体が検知されたメモリ領域の番号と対応付けて記録したヒストグラムの例である。Ｎ番目のメモリ領域では、１０００回の測定のうち１１２回は平均背景値より２ｄＢ低い値、３６５回は平均背景値、１８０回は平均背景値より２ｄＢ高い値が観測されている。一方、Ｎ＋１番目のメモリ領域では、１０００回の測定のうち９９９回は平均背景値、１回が平均背景値より２ｄＢ高い値であったとする。重み係数算出部２６は、図１８（ａ）のヒストグラムに基づいて、図１８（ｂ）に示すような背景重みテーブルを作成する。重み係数は、例えば、背景平均値が計測された回数で、他の受信電力値が計測された回数を割った値とすることができる。
【００６２】
図１９は、第３の実施形態にかかる背景情報の生成方法の一例を説明するフローチャートである。ステップＳ５１〜Ｓ５４の処理は、図８を参照しながら説明したステップＳ１〜Ｓ４と同様である。その後、背景算出部２２は、メモリ領域に対応する位置に検知された物体からの受信電力の平均値を求め、背景テーブルを作成する（ステップＳ５５）。第３の実施形態で用いられる背景テーブルは、受信電力の平均値を背景データプレーンのメモリ領域の座標と関連付けたテーブルとすることができる。さらに、背景算出部２２は、受信電力値ごとの受信回数を示すヒストグラムを作成し、ヒストグラムに基づいて重み係数を求める（ステップＳ５６、Ｓ５７）。
【００６３】
得られた重み係数を用いた判定の方法は、第１の実施形態と同様である。背景物体には街路樹なども含まれることがある。前述のとおり、静止物体から検知装置１０が受信する電力値の分布はライス分布に従うが、街路樹などでは、葉や枝が動く場合がある。従って、レーダの波長よりも大きい距離にわたって葉や枝が動くと、様々な位相の反射波が検知装置１０で受信されることもある。このため、葉や枝などの移動している部分から受信された電力値の分布はレーリー分布状になる。すると、背景物体から検知装置１０が受信する受信電力の分布はライス分布とレーリー分布を合わせた形になる場合もある。すると、第１および第２の実施形態のように、ライス分布の計算値に基づいて求めた重み係数に基づいて判定を行っても、街路樹などが背景物体に含まれているときに、誤った判定が行われるおそれがある。第３の実施形態にかかる検知装置１０では、受信電力の実測値に基づいて作成されたヒストグラムによって重み係数が算出される。従って、街路樹など背景物体の一部が動く場合であっても、判定の精度の低下を防ぐことができる。
【００６４】
＜その他＞
なお、本発明は上記の実施形態に限られるものではなく、様々に変形可能である。以下にその例をいくつか述べる。
【００６５】
背景平均値を求める計算方法は、第１の実施形態で説明した計算方法に限られない。例えば、背景算出部２２は、Infinite impulse response（ＩＩＲ）フィルタを用いて、以下の式から背景平均値を算出することができる。
Ｍ（ｔ）＝{α×π×Ｘ（ｔ）＋α×π×Ｘ（ｔ−１）−（απ−２）×Ｍ（ｔ−１）}／（α×π＋２）  ・・・（７）
ここでＭ（ｔ）は、計算対象としているメモリ領域に対応する位置から、検知装置１０がｔ回の計測で受信した受信電力値の平均値であり、Ｘ（ｔ）は、ｔ回の計測での受信電力値である。また、背景算出部２２は、Finite Impulse Response（ＦＩＲ）フィルタを用いて背景平均値を求めることもできる。
【００６６】
背景算出部２２は、ライス分布の計算値もしくはヒストグラムで得られた回数を重み係数として用いて、判定を行うことができる。この場合に用いられる検知装置１０は、重み係数算出部２６を備えない。
【００６７】
背景算出部２２は、重み係数をライス分布によって求めた分布推定値の２乗の値とすることもできる。分布推定値の２乗の値を重み係数として用いることにより、ライス分布よりも分布幅が細いピークと受信電力の分布を比較することができる。そのため、レーリー分布に従う移動物体などの見落としを防ぎやすくすることができる。
【００６８】
さらに、背景算出部２２は、ライス分布のピークの高さが１になるようにライス分布の分布推定値に定数をかけた値を１から差し引いた値を重み係数とすることもできる。すなわち、ライス分布のピークの高さが１になるようにライス分布の分布推定値に定数をかけた値がｆ（ｘ）であるとすると、１−ｆ（ｘ）を、受信電力がｘであるときの重み関数とすることができる。この場合は、重み係数の値が大きいほど、受信電力値がライス分布と異なる形状に分布している可能性が大きくなる。そこで、判定部２５は、重み係数が閾値よりも大きな値である場合に、検知された物体は、移動物体であると判定する。
【００６９】
なお、抽出部２４は、近傍で検知されている物体を抽出するために、例えば、距離閾値と角度閾値を用いることができる。この場合は、抽出部２４は、メモリ領域ごとに処理対象を抽出せずに、距離閾値と角度閾値で特定できる領域ごとに、処理対象を抽出することができる。例えば、抽出部２４は、背景物体の位置からの距離が距離閾値よりも短い位置に検知され、さらに、その物体のアジマス角度の大きさと背景物体のアジマス角度の差分が角度閾値よりも小さい物体を、近傍に検知された物体として抽出することができる。距離閾値と角度閾値の決め方は、検知精度や検知装置の処理能力などに応じて任意に決定することができる。
【００７０】
以上の説明では、重み係数を記録するときに判定部２５はリングバッファを用いているが、リングバッファは判定部２５が用いるメモリの一例である。判定部２５は、任意の形態のメモリを用いて重み係数の記録や分布係数の計算をすることができる。また、分布係数は、背景情報に含まれている電力値の分布と、受信電力値の相関の大きさが認識できる任意の計算方法とすることができる。例えば、複数の重み係数の積を分布係数とすることができ、また、複数の重み係数の和を分布係数とすることもできる。なお、分布閾値の大きさは、分布係数の計算方法に応じて変更されるものとする。
【００７１】
また、以上の説明では、メモリプレーンにデータ等を記録する場合に、レーダからの距離とアジマス角度を用いた極座標により座標を特定していたが、検知装置１０は、直交座標などの任意の座標系を用いることができる。
【００７２】
なお、以上の説明では、図３に示したように、検知装置１０にレーダが含まれる場合について説明したが、検知装置は、レーダを含まない装置とすることもできる。この場合、検知装置は、レーダ装置から計測結果を受信して、受信したデータを処理する。
【００７３】
デジタル信号処理部２０は、コンピュータで実現される場合がある。この場合、Central Processing Unit（ＣＰＵ）は、プログラムを読み込むことにより、取得部２１、背景算出部２２、背景特定部２３、抽出部２４、判定部２５、重み係数算出部２６、制御部２７、認識処理部２８として動作する。プログラムは、メモリ（図示せず）に格納される。
【００７４】
上述の各実施形態に対し、さらに以下の付記を開示する。
（付記１）
レーダを用いて移動可能な対象物を検知する検知装置であって、
前記レーダが検知物体から受信した受信電力値を取得する取得部と、
繰り返し同じ位置に検知される検知物体を表す背景物体から前記レーダが受信する背景電力値の強度の分布を算出する背景算出部と、
前記受信電力値の強度の分布が前記背景電力値の強度の分布と異なる場合、前記レーダは前記対象物を検知したと判定する判定部
を備えることを特徴とする検知装置。
（付記２）
前記背景電力値に対応付けて、前記背景電力値の前記レーダでの受信確率を表す重み係数を算出する重み係数算出部をさらに備え、
前記判定部は、前記受信電力値と同じ大きさの背景電力値に対応付けられた前記重み係数が小さいほど、前記レーダが前記対象物を検知したと判定する確率が高くなるように判定する
ことを特徴とする付記１に記載の検知装置。
（付記３）
前記背景物体の位置を特定する背景特定部と、
前記検知物体の位置と前記背景物体の位置を比較することにより、前記背景物体の近傍、および、前記背景物体と同じ位置に位置する検知物体を抽出する抽出部
をさらに含み、
前記判定部は、前記抽出部により抽出された検知物体からの受信電力値と同じ大きさの背景電力値に対応付けられた前記重み係数が所定の分布閾値よりも小さい場合、前記抽出部により抽出された検知物体は前記対象物であると判定する
ことを特徴とする付記２に記載の検知装置。
（付記４）
前記取得部は、第１の測定で得られた受信電力値と、前記第１の測定の後で行われた第２の測定で得られた受信電力値を取得し、
前記抽出部により抽出された検知物体について、前記第１の測定で得られた第１の受信電力値と同じ大きさの背景電力値に対応付けられた第１の重み係数と、前記第２の測定で得られた第２の受信電力値と同じ大きさの背景電力値に対応付けられた第２の重み係数との和が、所定の累積閾値よりも小さい場合、前記判定部は、前記抽出部により抽出された検知物体は前記対象物であると判定する
ことを特徴とする付記２に記載の検知装置。
（付記５）
前記背景算出部は、前記受信電力値に含まれるノイズに対する前記受信電力値の比率を算出し、前記レーダが受信する背景電力値の強度の分布を前記比率の大きさに対応付けて算出し、
前記判定部は、前記受信電力値の強度の分布が、前記比率と対応付けて算出された前記背景電力値の強度の分布と異なる場合、前記判定部は、前記レーダにより前記対象物が検知されたと判定する
ことを特徴とする付記１〜３のいずれか１項に記載の検知装置。  
（付記６）
前記背景算出部は、前記受信電力値の度数分布を前記背景電力値の強度の分布とし、
前記判定部は、前記受信電力値と同じ大きさの背景電力値に対応付けられた前記度数分布の値が小さいほど、前記レーダが前記対象物を検知したと判定する確率が高くなるように判定する
ことを特徴とする付記１〜３のいずれか１項に記載の検知装置。
（付記７）
レーダを用いて移動可能な対象物を検知するコンピュータを、
前記レーダが検知物体から受信した受信電力値を取得する取得手段、
繰り返し同じ位置に検知される検知物体を表す背景物体から前記レーダが受信する背景電力値の強度の分布を算出する背景算出手段、
前記受信電力値の強度の分布が前記背景電力値の強度の分布と異なる場合、前記レーダは前記対象物を検知したと判定する判定手段
として機能させることを特徴とするプログラム。
【符号の説明】
【００７５】
１  覆域
１０  検知装置
１１  アンテナ部
１２  ミリ波送受信部
１３  アナログ部
１４  電源
１５  インタフェース部
２０  デジタル信号処理部
２１  取得部
２２  背景算出部
２３  背景特定部
２４  抽出部
２５  判定部
２６  重み係数算出部
２７  制御部
２８  認識処理部
３０  歩行者
４０  背景物体
【図２】
0005625445.tif 000006
【図４】
0005625445.tif 000007
【図６】
0005625445.tif 000008
【図７】
0005625445.tif 000009
【図８】
0005625445.tif 000010
【図１０】
0005625445.tif 000011
【図１１】
0005625445.tif 000012
【図１２】
0005625445.tif 000013
【図１４】
0005625445.tif 000014
【図１５】
0005625445.tif 000015
【図１６】
0005625445.tif 000016
【図１７】
0005625445.tif 000017
【図１８】
0005625445.tif 000018
【図１９】
0005625445.tif 000019
【図１】
0005625445.tif 000020
【図３】
0005625445.tif 000021
【図５】
0005625445.tif 000022
【図９】
0005625445.tif 000023
【図１３】
0005625445.tif 000024